(57)【要約】【課題】  一般用医薬品の販売に課される条件を遵守しつつ販売処理を円滑化することが可能な商品販売データ処理装置およびその制御プログラムを提供すること。【解決手段】  商品の販売にあたり、店員のサインオンを受け付け、販売される商品が一般用医薬品であるかどうか、一般用医薬品である場合にはどのリスク区分に属するかを判別し、サインオンした店員が有する薬剤師または登録販売者などの資格を取得する。そして、判別したリスク区分と取得した店員の資格とに基づいて、当該店員により当該商品の販売が可能であるか否かを判断する。このとき、販売が可能であると判断された商品については販売処理し、販売が不可能であると判断された商品については販売処理しない。【選択図】    図１０
2010055482.tif 000002
【特許請求の範囲】
【請求項１】
客が購入する商品を販売処理する商品販売データ処理装置において、
各店員の資格を記憶した資格記憶手段と、
各店員のサインオンを受け付けるサインオン受付手段と、
販売される商品に割り当てられた所定の商品区分を判別する商品区分判別手段と、
前記サインオン受付手段によりサインオンを受け付けた店員に対して前記資格記憶手段に記憶された資格を取得する資格取得手段と、
前記商品区分判別手段により判別した商品区分と前記資格取得手段により取得した店員の資格とに基づいて、当該店員により当該商品の販売が可能であるか否かを判断する販売可否判断手段とを備え、
前記販売可否判断手段により販売が可能であると判断された商品を販売処理し、販売が不可能であると判断された商品を販売処理しないことを特徴とする商品販売データ処理装置。
【請求項２】
前記販売可否判断手段により商品の販売が不可能であると判断されたとき、その旨を報知する販売不可報知手段をさらに備えてなることを特徴とする請求項１に記載の商品販売データ処理装置。
【請求項３】
前記商品区分判別手段により取得した商品区分に基づいて所定のメッセージを報知するメッセージ報知手段をさらに備えてなることを特徴とする請求項１又は２に記載の商品販売データ処理装置。
【請求項４】
販売される商品の商品情報を一覧表示する商品情報表示手段と、
前記商品区分に基づいて前記商品情報表示手段により表示される商品情報の表示方法を選択的に変更する表示方法変更手段とをさらに備えてなることを特徴とする請求項１乃至３のうちいずれか１に記載の商品販売データ処理装置。
【請求項５】
前記表示方法変更手段は、前記商品区分に基づいて前記商品情報表示手段により表示される商品情報の表示領域の背景色を変更することを特徴とする請求項４に記載の商品販売データ処理装置。
【請求項６】
前記表示方法変更手段は、前記商品区分に基づいて前記商品情報表示手段により表示される商品情報に所定の記号を付すことを特徴とする請求項４に記載の商品販売データ処理装置。
【請求項７】
前記所定の商品区分は、一般用医薬品に割り当てられたリスク区分であることを特徴とする請求項１乃至６のうちいずれか１に記載の商品販売データ処理装置。
【請求項８】
前記資格記憶手段に記憶される店員の資格は、薬剤師、登録販売者およびその他の者のうちいずれかであることを特徴とする請求項１乃至７のうちいずれか１に記載の商品販売データ処理装置。
【請求項９】
客が購入する商品を販売処理する商品販売データ処理装置の制御プログラムであって、
前記商品販売データ処理装置に、
各店員のサインオンを受け付けるサインオン受付機能と、
販売される商品に割り当てられた所定の商品区分を判別する商品区分判別機能と、
各店員の資格を記憶した資格記憶手段から前記サインオン受付機能によりサインオンを受け付けた店員の資格を取得する資格取得機能と、
前記商品区分判別機能により判別された商品区分と前記資格取得機能により取得された店員の資格とに基づいて、当該店員により当該商品の販売が可能であるか否かを判断する販売可否判断機能と、
この販売可否判断機能により販売が可能であると判断された商品を販売処理し、販売が不可能であると判断された商品を販売処理しない商品販売機能と、
を実現させるための制御プログラム。
【発明の詳細な説明】
【技術分野】
【０００１】
本発明は、コンビニエンスストア、スーパーマーケットおよびドラッグストアなどで商品の販売処理に使用される商品販売データ処理装置およびその制御プログラムに関する。
【背景技術】
【０００２】
現在、コンビニエンスストア、スーパーマーケットおよびドラッグストアなどでは一般用医薬品の販売が行われている。一般用医薬品とは、医薬品のうち効能，効果の人体に対する作用が著しくなく、医薬関係者から提供された情報に基づき、需要者の選択により使用されるものである。
【０００３】
上記一般用医薬品は、薬事法３６条の３において第１類医薬品，第２類医薬品および第３類医薬品の３つのリスク区分に分類されている。第１類医薬品とは、その副作用等により日常生活に支障をきたす程度の健康被害が生ずるおそれがある医薬品のうちその使用に関し特に注意が必要なものとして厚生労働大臣が指定するものなどであり、第２類医薬品とは、その副作用等により日常生活に支障をきたす程度の健康被害が生ずるおそれがある医薬品（第１類医薬品を除く。）であって厚生労働大臣が指定するものであり、第３類医薬品とは、第１類医薬品及び第２類医薬品以外の一般用医薬品である。また、第２類医薬品のうち特に注意を要する医薬品については指定第２類医薬品と称され、通常の第２類医薬品と商品の包装への表示において若干異なる取扱いがなされる。
【０００４】
一般用医薬品の販売について、図１８を用いて説明する。各リスク区分における規定は、販売に対応すべき専門家や情報提供に関して差異がある。すなわち、第１類医薬品は薬剤師でなければ販売することができないのに対し、第２類医薬品および第３類医薬品については薬剤師に加えて登録販売者も販売することができる。また、第１類医薬品は販売時において文書による情報提供が義務付けられているのに対し、第２類医薬品は積極的な情報提供については努力義務に止まり、第３類医薬品は積極的な情報提供について薬事法上の規定が設けられていない。ただし、第１類医薬品、第２類医薬品および第３類医薬品のすべてにおいて、購入者からの相談があった場合に情報提供を行わなければならない旨が規定されている。
【０００５】
ところで、従来コンビニエンスストア、スーパーマーケットおよびドラッグストアなどでは、ＰＯＳ（Point Of Sales）端末などの商品販売データ処理装置を用いて商品の販売処理が行われている。商品販売データ処理装置は、付属のスキャナを用いた商品に付されたバーコードのスキャニングなどによる商品コードの入力を受け付け、入力された商品コードに基づいて商品価格などの商品データを取得し、この商品データに基づいて商品を販売処理する。商品販売データ処理装置の中には、操作責任者の登録（サインオン）を受け付け、特定の権限を有する者のみにマネージャ業務などの処理を許可するものも知られている。（例えば特許文献１を参照）
【特許文献１】特開２００４−１８５１１２号公報
【発明の開示】
【発明が解決しようとする課題】
【０００６】
上記のように、一般用医薬品を販売する際にはリスク区分に応じて販売方法などが異なるが、客が購入しようとする商品のリスク区分をいちいち販売員が確認していたのでは、レジの販売処理が遅滞してしまう。そのため特に繁盛時などには、レジに行列ができて客を待たせてしまうなどして、店舗に対する客の心象を悪化させる蓋然性がある。また、商品販売データ処理装置を操作する店員が販売時にリスク区分を見落としてしまい、第１類医薬品の説明義務を履行しなかった場合などには、後に客とのトラブルを生じる原因となりかねない。
【０００７】
本発明は、上記のような事情に基づいてなされたものであり、その目的は、一般用医薬品の販売に課される条件を遵守しつつ販売処理を円滑化することが可能な商品販売データ処理装置およびその制御プログラムを提供することである。
【課題を解決するための手段】
【０００８】
本発明は、客が購入する商品を販売処理する商品販売データ処理装置において、各店員の資格を記憶した資格記憶手段と、各店員のサインオンを受け付けるサインオン受付手段と、販売される商品に割り当てられた所定の商品区分を判別する商品区分判別手段と、前記サインオン受付手段によりサインオンを受け付けた店員に対して前記資格記憶手段に記憶された資格を取得する資格取得手段と、前記商品区分判別手段により判別した商品区分と前記資格取得手段により取得した店員の資格とに基づいて、当該店員により当該商品の販売が可能であるか否かを判断する販売可否判断手段とを備え、前記販売可否判断手段により販売が可能であると判断された商品を販売処理し、販売が不可能であると判断された商品を販売処理しないことを特徴としている。
【発明の効果】
【０００９】
かかる手段を講じた本発明によれば、一般用医薬品の販売に課される条件を遵守しつつ販売処理を円滑化することが可能な商品販売データ処理装置およびその制御プログラムを提供することができる。
【発明を実施するための最良の形態】
【００１０】
以下、本発明の一実施形態について、図面を参照しながら説明する。  
図１は、本発明にかかる商品販売データ処理装置であるＰＯＳ端末１の制御回路を示す模式図である。ＰＯＳ端末１は、制御の中枢としてＣＰＵ２を搭載している。このＣＰＵ２に対し、各種制御プログラムなどの固定的データを格納したＲＯＭ（Read Only Memory）３、ＲＡＭ（Random Access Memory）４、Ｉ／Ｏ（Input/Output）ポート５、ＬＡＮ（Local Area Network）インターフェイス（Ｉ／Ｆ）６、ハードディスクドライブ（ＨＤＤ）７、キーボードコントローラ８、ディスプレイコントローラ９、客面ディスプレイコントローラ１０、プリンタコントローラ１１、スキャナインターフェイス（Ｉ／Ｆ）１２およびスピーカコントローラ１３などを、例えばＰＣＩバスなどのバスライン１４を介して接続している。
【００１１】
そして、Ｉ／Ｏポート５にモードスイッチ５ａとドロワ開放装置５ｂとを接続し、ＬＡＮインターフェイス６にＬＡＮケーブル６ａを接続し、キーボードコントローラ８にキーボード８ａを接続し、ディスプレイコントローラ９にタッチパネル式ディスプレイ９ａのタッチパネルセンサ９ｂとディスプレイ部９ｃとを接続し、客面ディスプレイコントローラ１０に客面ディスプレイ１０ａを接続し、プリンタコントローラ１１にレシートプリンタ１１ａを接続し、スキャナインターフェイス１２にスキャナ１２ａを接続し、スピーカコントローラ１３にスピーカ１３ａを接続している。
【００１２】
ＲＡＭ４は、操作責任者の登録（以下、サインオンと称す）をした店員に関する情報を記憶する責任者登録エリア４ａや買上商品の商品販売データを登録するための商品登録エリア４ｂなど処理場面に応じて各種の記憶領域を形成する。モードスイッチ５ａは各種業務モードを選択するためのものである。ドロワ開放装置５ｂは、ＣＰＵ２からの指令に応じて図示しないドロワを開放する。ＬＡＮインターフェイス６は、ＬＡＮケーブル６ａを介して接続される店舗サーバなどとのデータ通信を制御する。キーボードコントローラ８は、キーボード８ａから操作されたキーに対応するキー信号を取り込みＣＰＵ２に通知する。ディスプレイコントローラ９は、ＣＰＵ２からの指令によりディスプレイ部９ｃに各種の画面を選択的に表示させるとともに、タッチパネルセンサ９ｂの信号を取り込みタッチ位置座標を求めてＣＰＵ２に通知する。客面ディスプレイコントローラ１０は、客の支払う合計金額等の表示データに対応した文字などを客面ディスプレイ１０ａに表示させる。プリンタコントローラ１１は、レシートプリンタ１１ａによるレシート印字及びジャーナル印字を制御する。スキャナインターフェイス１２は、スキャナ１２ａにてスキャニングされたバーコードデータを入力する。スピーカコントローラ１３は、スピーカ１３ａによる音声の出力を制御する。なお、キーボード８ａは、数値データを置数入力するための置数キーの他、ＰＬＵキー，小計キー，預／現計キー，合計キーなどの各種ファンクションキーを配設したものである。
【００１３】
ハードディスクドライブ７には、店員の資格などの情報を記憶した販売員マスタ７ａ（資格記憶手段）および一般用医薬品のリスク区分に応じた各種の情報を記憶した権限管理テーブル７ｂが記憶されている。
【００１４】
図２は、販売員マスタ７ａのデータ構造の一例を示す模式図である。販売員マスタ７ａには、店員ごとに一意に割り当てられた“１００００００１”，“１００００００２”などの店員コードに関連付けて店員の氏名および薬事法権限コードが記憶されている。この薬事法権限コードは、“１”が薬剤師、“２”が登録販売者、“０”が無資格者である旨を表している。
【００１５】
店員がＰＯＳ端末１の操作を担当するためには、上記サインオンをしなければならない。サインオンを行うためには、先ずキーボード８ａに設けられたサインオンキーを操作してサインオンを宣言する。このようにサインオンが宣言された後にＣＰＵ２が実行するサインオン処理の流れ図を図３に示している。この処理は、ＲＯＭ３に記憶された動作プログラムに基づいて実行される。
【００１６】
先ず、ＣＰＵ２は、ＳＴ（ステップ）１０１として店員コードの入力を受け付ける。その間、ＳＴ１０２として店員コードが入力されたか否かを判断する。店員コードは、キーボード８ａに設けられた置数キーの操作により入力することができるし、バーコード化された店員コードをスキャナ１２ａによりスキャニングして入力することもできる。
【００１７】
このような方法で店員コードが入力されると（ＳＴ１０２のＹｅｓ）、ＳＴ１０３として入力された店員コードと同一の店員コードを有するレコードが販売員マスタ７ａから検索され、ＳＴ１０４として該当するレコードがＲＡＭ４に形成された上記責任者登録エリア４ａにロードされる。かくして店員のサインオンが完了する。  
なお、上記サインオン処理において各部が実行する処理は、責任者登録手段を構成する。  
また、ＰＯＳ端末１をキャッシャとして操作する者の他、その補助者や一般用医薬品に対する説明義務を履行するための有資格者など複数名が同時にサインオンすることも可能である。この場合においても、サインオンした各店員のレコードがキャッシャ、補助者または有資格者の別を特定可能にして責任者登録エリア４ａにそれぞれロードされる。なお、一般用医薬品に対する説明義務を履行するための有資格者がサインオンした場合には、１つの取引が終了するごとにそのサインオンが解除されるなどの運用に設定することも可能である。
【００１８】
次に、上記権限管理テーブル７ｂについて説明する。図４は、権限管理テーブル７ｂのデータ構造の一例を示す模式図である。権限管理テーブル７ｂには、第１類医薬品、第２類医薬品、指定第２類医薬品および第３類医薬品のそれぞれのリスク区分ごとに、一般の販売員、薬剤師および登録販売者がＰＯＳ端末１にサインオンした場合の販売処理に関するデータが記憶されている。リスク区分ごとのデータには、販売フラグ、ＰＯＰアップメッセージフラグ、ＰＯＰアップメッセージナンバ（Ｎｏ．）、背景色および区分記号が記憶されている。販売フラグは、そのリスク区分の医薬品をサインオンした販売員の権限で販売することができるか否かを判別するためのフラグであり、“０”が販売可能、“１”が販売不可能である旨を示している。ＰＯＰアップメッセージフラグは、図１１〜図１４，図１６および図１７にて後述のＰＯＰアップメッセージを表示するか否かを判別するためのフラグであり、“０”がＰＯＰアップメッセージを表示する旨を、“１”がＰＯＰアップメッセージを表示しない旨を示している。ＰＯＰアップメッセージナンバは、ＰＯＰアップメッセージフラグが“０”である場合に表示するＰＯＰアップ画面の種別を示している。背景色は、図１５にて後述の商品登録画面４０に商品情報を表示する際の背景色を示している。区分記号は、上記商品登録画面４０に表示した商品情報と併せて表示すべき記号であり、本実施形態においては第１類医薬品に“Ａ”、第２類医薬品に“Ｂ”、指定第２類医薬品に“Ｃ”、そして第３類医薬品に“Ｄ”をそれぞれ割り当てている。
【００１９】
なお、本実施形態における販売フラグは図１８に示した各リスク区分の販売権限に基づいて設定され、ＰＯＰアップメッセージフラグは全て“０”に設定されている。
【００２０】
さて、上記販売員マスタ７ａに記憶されるデータは、販売員マスタメンテナンス処理にて編集することができる。図５は、販売員マスタメンテナンス処理にてＣＰＵ２が実行する処理の流れ図である。この処理は、キーボード８ａに設けられた所定の操作キーの操作や、タッチパネル式ディスプレイ９ａに表示された所定の操作キーのタッチ操作をトリガとして、ＲＯＭ３に記憶された動作プログラムに基づいて実行される。
【００２１】
先ず、ＣＰＵ２は、ＳＴ２０１として販売員マスタメンテナンス画面２０を表示する。図６は、販売員マスタメンテナンス画面２０の一例を示す模式図である。販売員マスタメンテナンス画面２０は、販売員マスタ７ａに記憶されたレコードを表示するデータ表示欄２０ａと各種操作キーを表示する操作キー表示エリア２０ｂとを備えている。データ表示欄２０ａには、販売員マスタ７ａに登録された各販売員の販売員コード、販売員の氏名および薬事法権限コードに基づいて判別される資格が一覧表示される。操作キー表示エリア２０ｂには、各種操作に関するヘルプ画面を表示する際にタッチ操作するヘルプ（ＨＥＬＰ）キー、新たな販売員のレコードを作製する際にタッチ操作する入力キー、キーボード８ａのキー操作などで選択したレコードの内容を変更する際にタッチ操作する変更キー、同様に選択したレコードを削除する際にタッチ操作する削除キーおよび販売員マスタメンテナンス処理を終了する際にタッチ操作するための終了キーなどが表示される。
【００２２】
販売員マスタメンテナンス画面２０が表示された状態で、ＣＰＵ２は、ＳＴ２０２としてキーボード８ａのキー操作や操作キー表示エリア２０ｂに表示された操作キーのタッチ操作による各種入力を受け付ける。そして、何らかの入力を受け付けたときには、ＳＴ２０３としていずれの入力がなされたかを判定する。このとき、操作キー表示エリア２０ｂに表示された入力キー若しくは変更キーがタッチ操作されたと判断されるときには（ＳＴ２０３の“入力キー，変更キー操作”）、ＳＴ２０５としてデータ表示欄２０ａに代えてそのとき選択されていたレコードを編集するための入力画面２０ｃを表示する。なお、入力キー若しくは変更キーのタッチ操作以外の入力がなされたと判断されるときには（ＳＴ２０３の“その他”）、ＳＴ２０４としてその入力に応じた処理を実行する。例えば、操作キー表示エリア２０ｂに表示された終了キーがタッチ操作されたときには、当該販売員マスタメンテナンス処理を終了する。
【００２３】
図７は、入力画面２０ｃが表示された販売員マスタメンテナンス画面２０の一例を示す模式図である。入力画面２０ｃには、販売員コードの入力欄、販売員氏名の入力欄および資格の入力欄が表示される。各入力欄には、キーボード８ａのキー操作によりデータ入力が可能であり、資格の入力欄には、上記薬事法権限コードと同様に当該店員が有する資格に応じて“０”，“１”または“２”のいずれかを入力する。
【００２４】
入力画面２０ｃを表示した状態で、ＣＰＵ２は、ＳＴ２０６として販売員コード、販売員氏名および資格のデータ編集を受け付ける。さらに、データ編集を受け付けている間、ＳＴ２０７として操作キー表示エリア２０ｂに表示された一覧キーの操作を待つ。このとき、一覧キーの操作がなされた場合には（ＳＴ２０７のＹｅｓ）、販売員コードの入力欄、販売員氏名の入力欄および資格の入力欄に入力されたデータで販売員マスタ７ａのデータを更新する。すなわち、入力キーがタッチ操作されたことにより入力画面２０ｃが表示されている場合には、販売員コードの入力欄、販売員氏名の入力欄および資格の入力欄に入力されたデータを新規データとして販売員マスタ７ａに追加し、変更キーがタッチ操作されたことにより入力画面２０ｃが表示されている場合には、変更キーがタッチ操作された際に選択されていたレコードに対応する販売員マスタ７ａ中のレコードを販売員コードの入力欄、販売員氏名の入力欄および資格の入力欄に入力されたデータで更新する。このように販売員マスタ７ａのデータを更新した後には、ＳＴ２０８として入力画面２０ｃに代えて再びデータ表示欄２０ａを表示し、ＳＴ２０２の処理に戻って各種入力を受け付ける。
【００２５】
次に、ＰＯＳ端末１による商品の販売処理について説明する。  
図８は、商品の販売処理にてＣＰＵ２が実行する処理の流れ図である。この処理は、ＲＯＭ３に記憶された動作プログラムに基づいて実行される。
【００２６】
先ず、ＣＰＵ２は、ＳＴ３０１としてスキャナ１２ａによる商品に付されたバーコードのスキャニングやキーボード８ａのキー操作による商品コードの入力を待つ。そして、商品コードが入力されたと判断したときには（ＳＴ３０１のＹｅｓ）、ＳＴ３０２として入力された商品コードに基づいて商品マスタから商品データを取得する。上記商品マスタは、ハードディスクドライブ７に記憶しておいてもよいし、店舗サーバに記憶しておいてＬＡＮインターフェイス６を介して店舗サーバにアクセスし、商品コードに応じた商品データを取得するようにしてもよい。
【００２７】
そして、ＣＰＵ２は、ＳＴ３０３として上記のように取得した商品データや買上点数などからなる商品販売データをＲＡＭ４に形成された商品登録エリア４ｂに登録する。このとき登録された商品販売データは、タッチパネル式ディスプレイ９ａに表示された商品登録画面４０に一覧表示される（商品情報表示手段）。
【００２８】
図９は、上記商品登録画面４０の一例を示す模式図である。商品登録画面４０は、レジ情報表示エリア４０ａ、登録商品情報表示エリア４０ｂ，４０ｃ、合計金額等表示エリア４０ｄおよび操作キー表示エリア４０ｅを備えている。レジ情報表示エリア４０ａには、ＰＯＳ端末１が設置されたレジのレジナンバ（Ｎｏ．）、取引ごとに割り当てられる取引ナンバ（Ｎｏ．）およびサインオンした店員（キャッシャ）の氏名などが表示される。登録商品情報表示エリア４０ｂには、商品登録エリア４ｂに登録された商品の商品名、単価、買上点数、割り引きまたは値引き金額および単価に点数を乗算して算出される商品単位の合計金額が表示される。登録商品情報表示エリア４０ｃには、直前に商品登録エリア４ｂに登録された商品の商品名、単価、買上点数、割り引きまたは値引き金額および単価に点数を乗算して算出される商品単位の合計金額が表示される。合計金額等表示エリア４０ｄには、当該取引の合計買上点数、小計金額、外税額、値割引合計金額および現段階の合計金額が表示される。操作キー表示エリア４０ｅには、ヘルプキーや登録商品情報表示エリア４０ｂを上下にスクロールするためのスクロールキーなどの各種操作キーが表示される。
【００２９】
このような商品登録画面４０を表示した後、ＳＴ３０４としてＳＴ３０２の処理にて商品マスタから取得した商品データに基づいて、この商品が一般用医薬品であるか否かを判断する。このとき、一般用医薬品であると判断したときには（ＳＴ３０４のＹｅｓ）、ＳＴ３０５としてＰＯＳ端末１にサインオンした店員により当該商品が販売可能であるかどうかなどの判断を行う販売権限照合処理を実行する。当該処理については、図１０の説明にて後述する。一方、ＳＴ３０３の処理にて登録された商品が一般用医薬品でないと判断したときには（ＳＴ３０４のＮｏ）、販売権限照合処理は実行しない。
【００３０】
なお、商品マスタから取得される商品データには、当該商品が第１類医薬品、第２類医薬品、指定第２類医薬品、第３類医薬品または一般用医薬品以外の商品のいずれであるかを特定するためのリスク区分情報が含まれており、ＳＴ３０４の処理においては、このリスク区分情報に基づいて当該商品が一般用医薬品であるか否かが判断される。
【００３１】
上記販売権限照合処理の後またはＳＴ３０４の処理にて一般用医薬品でないと判断したときには、ＣＰＵ２は、ＳＴ３０６としてキーボード８ａに設けられた小計キーが操作されているか否かを判断する。小計キーが操作されていないと判断したときには（ＳＴ３０６のＮｏ）、再びＳＴ３０１の処理に戻って商品コードの入力を待つ。
【００３２】
一方、小計キーが操作されていると判断したときには（ＳＴ３０６のＹｅｓ）、ＳＴ３０７として当該取引の合計金額からの値引き／割引処理などを行い、ＳＴ３０８としてキーボード８ａに設けられた締めキーの操作を待つ。そして、締めキーが操作されたときには（ＳＴ３０８のＹｅｓ）、ＳＴ３０９として客からの預り金額から当該取引の合計金額を減算することで釣銭額を算出してタッチパネル式ディスプレイ９ａおよび客面ディスプレイ１０ａに表示し、Ｉ／Ｏポート５を介してドロワ開放装置５ｂにドロワを開放させ、レシートプリンタ１１ａを制御して当該取引の内容を印字したレシートを発行させるなどの締め処理を実行する。この締め処理の後、商品販売処理を終了する。
【００３３】
続いて、上記販売権限照合処理について説明する。図１０は、商品販売権限照合処理においてＣＰＵ２が実行する処理の流れ図である。この処理は、ＲＯＭ３に記憶された動作プログラムに基づいて実行される。
【００３４】
先ず、ＣＰＵ２は、ＳＴ４０１としてＳＴ３０３の処理にて登録された商品のリスク区分を、ＳＴ３０２の処理にて商品マスタから取得した商品データに含まれるリスク区分情報に基づいて判別する（商品区分判別手段）。次に、ＳＴ４０２として責任者登録エリア４ａを参照し、現在サインオンしている店員の薬事法権限コードを取得する（資格取得手段）。そして、ＳＴ４０３としてＳＴ４０１の処理にて取得した商品のリスク区分とＳＴ４０２の処理にて取得した店員の薬事法権限コードとに基づいて当該店員により当該商品の販売が可能であるか否かを判断する（販売可否判断手段）。具体的には、権限管理テーブル７ｂを参照し、当該商品のリスク区分および当該店員の薬事法権限コードで特定される販売フラグが“０”である場合には販売可能であると判断し、“１”である場合には販売不可能であると判断する。なお、メインでＰＯＳ端末１を操作する店員の他、その補助者や説明義務を履行するための有資格者がサインオンしているときには、それら全ての店員の薬事法権限コードを取得していずれかの店員により当該商品の販売が可能であるか否かを判断する。
【００３５】
上記販売権限照合の結果、販売可能であると判断したときには（ＳＴ４０３の“販売可”）、ＣＰＵ２は、ＳＴ４０４として権限管理テーブル７ｂを参照し、当該商品のリスク区分および当該店員の薬事法権限コードで特定されるＰＯＰアップメッセージフラグが“０”であるか否かを判断する。
【００３６】
ＰＯＰアップメッセージフラグが“０”である場合には（ＳＴ４０４のＹｅｓ）、当該商品が一般用医薬品である旨のＰＯＰアップメッセージを表示する（メッセージ報知手段）。具体的には、権限管理テーブル７ｂを参照し、当該商品のリスク区分および当該店員の薬事法権限コードで特定されるＰＯＰアップメッセージナンバに応じたＰＯＰアップ画面をタッチパネル式ディスプレイ９ａに表示する。
【００３７】
このとき表示されるＰＯＰアップ画面の一例を図１１〜図１４に示している。図１１は登録された商品が第１類医薬品である場合に表示されるＰＯＰアップ画面３０の一例を示す図、図１２は登録された商品が第２類医薬品である場合に表示されるＰＯＰアップ画面３１の一例を示す図、図１３は登録された商品が指定第２類医薬品である場合に表示されるＰＯＰアップ画面３２の一例を示す図、そして、図１４は登録された商品が第３類医薬品である場合に表示されるＰＯＰアップ画面３３の一例を示す図である。各ＰＯＰアップ画面３０〜３３には、それぞれの医薬品のリスク区分とともに、“お客様に情報提供を行ってください”のように情報提供を促すメッセージが表示される。特に、第１類医薬品の場合には、薬剤師による情報提供が義務付けられているので、“お客様をカウンターにご案内してください”のように積極的な情報提供を促すメッセージが表示される。
【００３８】
このようにＰＯＰアップ画面が表示された後またはＳＴ４０４の処理にてＰＯＰアップメッセージフラグが“０”でないと判断された場合には、ＣＰＵ２は、ＳＴ４０６としてキーボード８ａに設けられた確定キーが操作されるのを待つ。この間店員は、表示されたＰＯＰアップ画面を確認して当該商品が一般用医薬品であることを認識し、リスク区分に応じた接客などを行うことができる。
【００３９】
そして、確定キーが操作されたときには（ＳＴ４０６のＹｅｓ）、ＰＯＰアップ画面を消去し、ＳＴ４０７として権限管理テーブル７ｂからＳＴ４０１の処理にて判別したリスク区分に応じた背景色を取得し、取得した背景色を商品登録画面４０の登録商品情報表示エリア４０ｃの背景色に設定する。さらに、ＳＴ４０８として権限管理テーブル７ｂからＳＴ４０１の処理にて判別したリスク区分に応じた区分記号を取得し、取得した区分記号を商品登録画面４０の登録商品情報表示エリア４０ｃに表示する。そして、当該販売権限照合処理を終了する。  
なお、ＳＴ４０７の処理において背景色を設定し、ＳＴ４０８の処理において区分記号を表示する各部の処理は、商品登録画面４０に表示される商品情報の表示方法を選択的に変更する表示方法変更手段を構成する。
【００４０】
上記ＳＴ４０７およびＳＴ４０８の処理にて、リスク区分に応じて登録商品情報表示エリア４０ｃの背景色が設定され、区分記号が表示された商品登録画面４０の一例を図１５に示している。登録商品情報表示エリア４０ｃに表示された“胃腸薬”は第１類医薬品であるとする。この場合、ＳＴ４０７の処理では、権限管理テーブル７ｂに第１類医薬品の背景色として記憶された“＆Ｈ００００００ＦＦ＆”に登録商品情報表示エリア４０ｃの背景色が設定される（図１５では彩色に代えて斜線を付している）。さらに、ＳＴ４０８の処理では、権限管理テーブル７ｂに第１類医薬品の区分記号として記憶された“Ａ”が表示される。
【００４１】
このような背景色の設定と区分記号の表示とは、新たに商品が登録されて登録商品情報表示エリア４０ｃに表示されていた前回の商品販売データが登録商品情報表示エリア４０ｂに移動された際にも維持される。例えば、図１５に示した商品登録画面４０において、前回に登録処理された商品である“頭痛薬”が第２類医薬品であるとする。この場合、“頭痛薬”に関する商品販売データが登録商品情報表示エリア４０ｂに表示された際には、その背景色が権限管理テーブル７ｂに第２類医薬品の背景色として記憶された“＆Ｈ００００ＦＦ００＆”に設定され（図１５では彩色に代えて縦線を付している）、権限管理テーブル７ｂに第２類医薬品の区分記号として記憶された“Ｂ”が表示される。なお、一般用医薬品ではない“抗菌ガーゼ”や“化粧品”には背景色が設定されず、区分記号も表示されない。
【００４２】
次に、上記ＳＴ４０３の処理における販売権限照合の結果、販売不可であると判断されたとき（ＳＴ４０３の“販売不可”）にＣＰＵ２が実行する処理について説明する。かかる場合には、先ず上記ＳＴ４０４の処理と同様にＳＴ４０９として権限管理テーブル７ｂを参照し、当該商品のリスク区分および当該店員の薬事法権限コードで特定されるＰＯＰアップメッセージフラグが“０”であるか否かを判断する。
【００４３】
ＰＯＰアップメッセージフラグが“０”である場合には（ＳＴ４０９のＹｅｓ）、現在サインオンしている店員では当該商品を販売できない旨のＰＯＰアップメッセージを表示する（販売不可報知手段）。具体的には、権限管理テーブル７ｂを参照し、当該商品のリスク区分および当該店員の薬事法権限コードで特定されるＰＯＰアップメッセージナンバに応じたＰＯＰアップ画面をタッチパネル式ディスプレイ９ａに表示する。
【００４４】
このとき表示されるＰＯＰアップ画面の一例を図１６，図１７に示している。図１６は登録された商品が第１類医薬品であり、サインオンした店員が薬剤師でない場合に表示されるＰＯＰアップ画面３４の一例を示す図、図１７は登録された商品が第２類医薬品、指定第２類医薬品または第３類医薬品であり、サインオンした店員が薬剤師でも登録販売者でもない場合に表示されるＰＯＰアップ画面３５の一例を示す図である。各ＰＯＰアップ画面３４，３５には、“第１類医薬品の為、販売できません。”や“一般用医薬品の為、販売できません。”のような商品を販売することができない旨のメッセージとともに、“販売権限は薬剤師”や“販売権限は薬剤師、登録販売者”のように販売権限を有する資格者が表示される。
【００４５】
このように商品を販売することができない旨のＰＯＰアップ画面が表示された後またはＳＴ４０９の処理にてＰＯＰアップメッセージフラグが“０”でないと判断された場合には（ＳＴ４０９の“Ｎｏ”）、新たな店員のサインオンを受け付け、ＳＴ４１１としてかかるサインオンの有無を判断する。なお、サインオンは、図３にて説明した手順で行われる。
【００４６】
新たな店員のサインオンがなされたと判断したときには（ＳＴ４１１のＹｅｓ）、ＳＴ４０２の処理に戻って新たにサインオンした店員の薬事法権限コードを取得し、ＳＴ４０３として販売権限照合を行う。このとき新たな店員により当該商品が販売可能であると判断したときには（ＳＴ４０３の“販売可”）、ＳＴ４０４〜ＳＴ４０８の処理を実行し、販売不可能であると判断したときには（ＳＴ４０３の“販売不可”）、再びＳＴ４０９，ＳＴ４１０の処理を実行して新たな店員のサインオンを受け付ける。
【００４７】
一方、ＳＴ４１１の処理にて新たな店員のサインオンがなされていないと判断した時には（ＳＴ４１１のＮｏ）、ＳＴ４１２として確定キーが操作されたか否かを判断する。確定キーが操作されていないと判断したときには（ＳＴ４１２のＮｏ）、再びＳＴ４１１の処理に戻って新たな店員のサインオンを受け付け、その有無を判断する。すなわち、ＳＴ４１１およびＳＴ４１２の処理においては、確定キーの操作若しくは新たな店員のサインオンが行われるのを待つこととなる。
【００４８】
ＳＴ４１２の処理にて確定キーが操作されたと判断したときには（ＳＴ４１２のＹｅｓ）、ＳＴ４１３として商品登録エリア４ｂから当該商品の商品販売データを削除して登録をキャンセルする。しかる後、当該販売権限照合処理を終了する。
【００４９】
以上説明したように、ＰＯＳ端末１は、登録される商品が一般用医薬品である場合には、自動的にサインオンした店員が当該医薬品を販売することができるか否かを判断し、当該店員では販売することができない商品である場合には販売権限を有する店員が新たにサインオンしない限り商品の登録を許可しない。そのため、販売権限を有しない者が商品を販売してしまうなど、薬事法に基づく規定に違反する事態を防止し、一般用医薬品の販売に課される条件を遵守することができる。
【００５０】
また、登録される商品が一般用医薬品であり、サインオンした店員が販売権限を有する者であった場合にも、ＰＯＰアップ画面を表示してどのリスク区分に属する医薬品であるのかを報知する。さらに、そのリスク区分に応じて客への情報提供を促すメッセージを表示する。そのため、当該ＰＯＳ端末１を操作する店員は、いちいち商品に表示されたリスク区分を確認することなく販売される商品がどのリスク区分に属する一般用医薬品であるのかどうか、また、情報提供が義務付けられているのかどうかを知ることができる。
【００５１】
さらに、登録された商品が一般用医薬品である場合においては、ＰＯＰアップ画面が表示される他、商品登録画面４０の登録商品情報表示エリア４０ｂに表示される当該商品の商品販売データの表示領域に所定の背景色が設定され、区分記号が併せて表示されるので、これまでに登録した商品に一般用医薬品が含まれているかどうか、含まれている場合にはどのリスク区分に属する一般用医薬品であるのかを容易に認識することができる。そのため、買上商品を一通り登録処理した後に登録商品情報表示エリア４０ｂを確認して、一般用医薬品が含まれている場合には情報提供を行うべく客を別カウンターに案内したり、その場で情報提供を行ったりといった販売手順をとることができる。
【００５２】
また、販売員マスタに記憶されるレコードは、販売員マスタメンテナンス画面にて編集することができるので、新たな店員が加わった場合や既存の店員が薬剤師または登録販売者の資格を取得した場合でも容易に設定変更が可能である。
【００５３】
なお、この発明は前記実施形態そのままに限定されるものではなく、実施段階においては、その要旨を逸脱しない範囲内にて各構成要素を適宜変形して具体化することができる。
【００５４】
例えば、販売権限照合処理におけるＰＯＰアップ画面の表示（ＳＴ４０５およびＳＴ４１０の処理）とともに、またはＰＯＰアップ画面の表示に代えてスピーカ１３ａにより所定の音声を出力するようにしてもよい。このように音声を出力する場合には、ＳＴ４０５の処理においては当該商品のリスク区分が識別できるような音声を出力し、ＳＴ４１０の処理においては商品の販売ができない旨を認識できるような音声を出力すれば、店員が容易に商品のリスク区分または販売不可であることを把握することができるので効果的である。
【００５５】
また、図４に示した権限管理テーブル７ｂ中の各パラメータは店舗の運営に応じて適宜設定変更が可能である。例えば、上記実施形態においては、全てのＰＯＰアップメッセージフラグを“０”に設定して、登録される商品が一般用医薬品の場合には必ず何らかのＰＯＰ画面が表示されるようにしたが、いずれかのＰＯＰアップメッセージフラグを“１”に設定して、登録される商品が所定のリスク区分である場合にはＰＯＰ画面が表示されないようにしてもよい。
【００５６】
また、薬事法やその関連規則などの改正に伴いリスク区分が変更されたり、新たな販売資格が生じたりした場合であっても、販売員マスタ７ａおよび権限管理テーブル７ｂを適当に変更することにより、上記販売員マスタメンテナンス処理や上記販売権限照合処理などを実行することができる。
【００５７】
また、登録された商品が一般用医薬品である場合には、そのリスク区分を客に報知すべく客面ディスプレイ１０ａにリスク区分の表示などを行うようにしてもよい。このようにすれば、客も自分が購入しようとする商品のリスク区分を把握することができるので、リスク区分に応じて商品の購入を再考したり、店員に当該商品の説明を求めたりすることができる。
【００５８】
この他、前記実施形態に開示されている複数の構成要素を適宜組み合わせることにより種々の発明を形成することができる。例えば、実施形態に示される全体構成要素から幾つかの構成要素を削除してもよい。
【図面の簡単な説明】
【００５９】
【図１】本発明の一実施形態におけるＰＯＳ端末の制御回路を示す模式図。
【図２】同実施形態における販売員マスタのデータ構造の一例を示す模式図。
【図３】同実施形態におけるサインオン処理にてＣＰＵが実行する処理の流れ図。
【図４】同実施形態における権限管理テーブルのデータ構造の一例を示す模式図。
【図５】同実施形態において販売員マスタメンテナンス処理にてＣＰＵが実行する処理の流れ図。
【図６】同実施形態における販売員マスタメンテナンス画面の一例を示す模式図。
【図７】同実施形態における入力画面が表示された販売員マスタメンテナンス画面の一例を示す模式図。
【図８】同実施形態において商品の販売処理にてＣＰＵが実行する処理の流れ図。
【図９】同実施形態において商品登録画面の一例を示す模式図。
【図１０】同実施形態における商品販売権限照合処理にてＣＰＵが実行する処理の流れ図。
【図１１】同実施形態におけるＰＯＰアップ画面の一例を示す図。
【図１２】同実施形態におけるＰＯＰアップ画面の一例を示す図。
【図１３】同実施形態におけるＰＯＰアップ画面の一例を示す図。
【図１４】同実施形態におけるＰＯＰアップ画面の一例を示す図。
【図１５】同実施形態における商品登録画面の一例を示す図。
【図１６】同実施形態におけるＰＯＰアップ画面の一例を示す図。
【図１７】同実施形態におけるＰＯＰアップ画面の一例を示す図。
【図１８】一般用医薬品のリスク区分を説明するための図。
【符号の説明】
【００６０】
１…ＰＯＳ端末、２…ＣＰＵ、７ａ…販売員マスタ、７ｂ…権限管理テーブル、９ａ…タッチパネル式ディスプレイ、２０…販売員マスタメンテナンス画面、３０〜３５…ＰＯＰアップ画面、４０…商品登録画面
【図１】
2010055482.tif 000003
【図２】
2010055482.tif 000004
【図３】
2010055482.tif 000005
【図４】
2010055482.tif 000006
【図５】
2010055482.tif 000007
【図６】
2010055482.tif 000008
【図７】
2010055482.tif 000009
【図８】
2010055482.tif 000010
【図９】
2010055482.tif 000011
【図１０】
2010055482.tif 000012
【図１１】
2010055482.tif 000013
【図１２】
2010055482.tif 000014
【図１３】
2010055482.tif 000015
【図１４】
2010055482.tif 000016
【図１５】
2010055482.tif 000017
【図１６】
2010055482.tif 000018
【図１７】
2010055482.tif 000019
【図１８】
2010055482.tif 000020